(57)【要約】【課題】極めて簡単、確実かつ精度良く、被覆部材の支持部材に対する位置を規制した上で、被覆部材をシャーシに取り付けることができる光源装置などを提供する。【解決手段】略平行に配列された複数本の発光管５０の端部を支持するランプクリップ２０をバックライトシャーシ１０に取り付け、ランプクリップ２０を覆うようにランプホルダ３０を取り付ける。ランプクリップ２０には、発光管５０の端縁より外側の位置に発光管の配列方向に沿う壁部２３が設けられ、この壁部２３がランプホルダ３０に設けた係合部（欠落部３１ａ）に係合される。欠落部３１ａの側壁３１ｂには傾斜が設けられており、壁部２３が側壁３１ｂに接触した場合に、壁部２３を欠落部中心に誘導する。したがって、位置ずれが生じた場合であっても、領域Ｒが壁部２３の上方にありさえすれば、側壁３１ｂに沿ってランプホルダ３０がスライドして、壁部２３が欠落部３１ａに係合される。【選択図】図５
2007214043.tif 000002
【特許請求の範囲】
【請求項１】
略平行に配列された複数本の発光管と、該発光管の端部を支持するための支持部材と、該支持部材を発光管側から覆う被覆部材と、前記支持部材及び前記被覆部材を取り付けるためのシャーシとを備える光源装置において、
前記支持部材は、前記発光管の端縁より外側の位置に前記発光管の配列方向に沿う壁部を有し、
前記被覆部材は、前記壁部と係合する係合部を有し、
前記壁部及び前記係合部を係合して、前記支持部材及び前記被覆部材の相対位置を規定するようにしてあること
を特徴とする光源装置。
【請求項２】
前記係合部は、前記配列方向に沿って配列された複数の板状部材を備え、それぞれの板状部材に欠落部を有しており、
前記壁部が各欠落部の側壁に接触した場合に、前記壁部を欠落部中心に誘導するための傾斜が前記欠落部に設けられていること
を特徴とする請求項１に記載の光源装置。
【請求項３】
前記係合部は、前記配列方向に沿う溝構造をなし、
前記壁部が溝の側壁に接触した場合に、前記壁部を溝中心に誘導するための傾斜が前記溝に設けられていること
を特徴とする請求項１に記載の光源装置。
【請求項４】
前記発光管の両端縁に電極が設けられ、一端縁の電極が相隣する少なくとも一方の発光管の一端縁の電極と導電線で接続され、
前記シャーシの支持部材取付面に対する前記壁部の高さは、前記発光管の高さより高いこと
を特徴とする請求項１乃至請求項３のいずれか１つに記載の光源装置。
【請求項５】
前記発光管の両端縁に電極が設けられ、相隣する２本の発光管が擬似Ｕ字管として機能するように、一端縁の電極が相隣する一方の発光管の一端縁の電極と導電線で接続され、
前記支持部材は、相隣する擬似Ｕ字管の間の位置に前記発光管の長手方向に沿う壁部を有すること
を特徴とする請求項１乃至請求項４のいずれか１つに記載の光源装置。
【請求項６】
請求項１乃至請求項５のいずれか１つに記載の光源装置を表示パネルの背面側に配置したことを特徴とする表示装置。
【発明の詳細な説明】
【技術分野】
【０００１】
本発明は、略平行に配列された複数本の発光管と、該発光管の端部を支持するための支持部材と、該支持部材を発光管側から覆う被覆部材と、支持部材及び被覆部材を取り付けるためのシャーシとを備える光源装置、及び該光源装置を表示パネルの背面側に配置した表示装置に関する。
【背景技術】
【０００２】
液晶表示装置は、小型、薄型、低消費電力を特徴とし、近年では表示品位の向上により、従来のＣＲＴに替わるディスプレイとして普及しつつある。液晶表示装置は、自己発光型のデバイスとは異なり、光源装置としてのバックライト装置を必要とし、表示パネルの背面側に光源装置を配置して液晶物質の電気光学特性により決定される光透過率を制御して画像を表示する。
【０００３】
図１２は従来のバックライト装置の全体構成を示す分解斜視図である。
従来のバックライト装置は、前面が開口された直方体状のバックライトシャーシ１１０の内側の対向する端縁に、一対の縦長のランプクリップ１２０（図においては１つのみを示す）が配置されている。ランプクリップ１２０の裏面側にはスナップ式の係合部１２１が設けられ、係合部１２１がバックライトシャーシ１１０に設けた貫通孔に係合することでバックライトシャーシ１１０に固定される。
【０００４】
また、ランプクリップ１２０の表面には把持部１２２が設けられており、この把持部１２２で発光管１５０の端部を把持する。さらに、ランプクリップ１２０の長手方向両端部には、位置規制のための穴（貫通されている必要はない）１２５が設けられており、この穴１２５と係合する注部１３５をランプホルダ（リフレクタともいう）１３０に設け、ランプホルダ１３０がランプクリップ１２０を上方から覆うようになしてある。
【特許文献１】特開２００１−２１５４９７号公報
【発明の開示】
【発明が解決しようとする課題】
【０００５】
しかしながら、従来のバックライト装置では、ランプホルダ１３０でランプックリップ１２０を覆う際、組立作業者は、ランプクリップ１２０の設けた穴１２５とランプホルダ１３０の柱部１３５とを視認することができないので、ある程度の経験が必要となる。つまり、図１３に示すように、組立作業者は、柱部１３５が穴１２５に係合するように、ランプクリップ１２０の上方でランプホルダ１３０を水平方向（Ｘ方向及びＹ方向）に動かして微調整を行なわなければならない。したがって、柱部１３５と穴１２５とを係合するまでに時間を要し、生産性が極めて悪かった。
【０００６】
また、一般の直管型の発光管を個別に点灯させる場合、バックライトシャーシの外側に取り付けられたインバータトランスなどの電気回路と結線するため、バックライトシャーシに貫通孔を設けて、発光管の両端縁に設けられた電極に接続された導電線をバックライトシャーシの外側に取り回す必要があるが、バックライトシャーシは一般的に板金プレスにて加工されることから、バックライトシャーシの加工端面が鋭利な状態（バリ）となり、このバリによって導電線の被覆にキズが生じて芯線が露出する虞がある。
【０００７】
そこで、特許文献１に開示されているように、シリコンラバーにてＣＣＦＬの両端をバックライトシャーシへ仮固定した後、上方から縦長のランプホルダで覆うようにしてＣＣＦＬを押えて固定する必要があった。ところで、シリコンラバーは溶融したラバーを金型へ流し込み成形することから、その作業の多くが手作業になるため、製造コストを下げることが難しく、大量生産に難点を抱えていた。
【０００８】
一方、直管型の発光管を用い、擬似Ｕ字管として点灯させる場合、相隣する発光管の一方の電極（Ｃｏｌｄ側電極）を互いに導電線で接続することから、この導電線をバックライトシャーシの外側に取り回す必要はないが、ランプホルダによって導電線が線噛みし、バックライトシャーシへのリークが生じるという問題があった。また、全発光管を１つのインバータトランスで点灯させる単一トランス点灯方式の場合も同様の問題が生じる。
【０００９】
本発明は斯かる事情に鑑みてなされたものであり、極めて簡単、確実かつ精度良く、被覆部材の支持部材に対する位置を規制した上で、被覆部材をシャーシに取り付けることができる光源装置、及び該光源装置を表示パネルの背面側に配置した表示装置の提供を目的とする。
【００１０】
また本発明は、発光管の両端縁に電極が設けられ、一端縁の電極が相隣する少なくとも一方の発光管の一端縁の電極と導電線で接続されている場合に、導電線が被覆部材によって線噛みされることがなく、線噛みに起因する不良を削減することができる光源装置、及び該光源装置を表示パネルの背面側に配置した表示装置の提供を目的とする。
【課題を解決するための手段】
【００１１】
本発明に係る光源装置は、略平行に配列された複数本の発光管と、該発光管の端部を支持するための支持部材と、該支持部材を発光管側から覆う被覆部材と、前記支持部材及び前記被覆部材を取り付けるためのシャーシとを備える光源装置において、前記支持部材は、前記発光管の端縁より外側の位置に前記発光管の配列方向に沿う壁部を有し、前記被覆部材は、前記壁部と係合する係合部を有し、前記壁部及び前記係合部を係合して、前記支持部材及び前記被覆部材の相対位置を規定するようにしてあることを特徴とする光源装置。
【００１２】
本発明にあっては、略平行に配列された複数本の発光管の端部を支持する支持部材をシャーシに取り付け、発光管側から支持部材を覆うように被覆部材をシャーシに取り付ける。支持部材には、発光管の端縁より外側の位置に発光管の配列方向に沿う壁部が設けられ、この壁部が被覆部材に設けた係合部に係合される。これにより、極めて簡単、確実かつ精度良く、被覆部材の支持部材に対する位置を規制した上で、被覆部材をシャーシに取り付けることができる。つまり、組立作業者は、支持部材に設けた壁部と被覆部材に設けた係合部とを視認することはできないが、被覆部材を配置する位置が一点ではなくなるので、アライメントマージンが広がる。したがって、壁部と係合部とを係合するまでの時間を大幅に短縮することができ、生産性が向上する。
【００１３】
本発明に係る光源装置は、前記係合部は、前記配列方向に沿って配列された複数の板状部材を備え、それぞれの板状部材に欠落部を有しており、前記壁部が各欠落部の側壁に接触した場合に、前記壁部を欠落部中心に誘導するための傾斜が前記欠落部に設けられていることを特徴とする。
【００１４】
本発明にあっては、係合部が、発光管の配列方向に沿って配列された複数の板状部材を備え、それぞれの板状部材に欠落部が設けられている。そして、欠落部に傾斜を設けることにより、壁部が欠落部の側壁に接触した場合に、壁部を欠落部中心に誘導する。被覆部材を取り付ける際に、被覆部材の位置がずれた場合であっても、欠落部に設けた傾斜に沿って自動的に被覆部材がスライドして被覆部材の位置が自動修正され、壁部と係合部（すなわち欠落部）とが確実に係合される。
【００１５】
本発明に係る光源装置は、前記係合部が、前記配列方向に沿う溝構造をなし、前記壁部が溝の側壁に接触した場合に、前記壁部を溝中心に誘導するための傾斜が前記溝に設けられていることを特徴とする。
【００１６】
本発明にあっては、係合部が、発光管の配列方向に沿う溝構造をなす。そして、溝に傾斜を設けることにより、壁部が溝の側壁に接触した場合に、壁部を溝中心に誘導する。被覆部材を取り付ける際に、被覆部材の位置がずれた場合であっても、溝に設けた傾斜に沿って自動的に被覆部材がスライドして被覆部材の位置が自動修正され、壁部と係合部（すなわち溝）とが確実に係合される。
【００１７】
本発明に係る光源装置は、前記発光管の両端縁に電極が設けられ、一端縁の電極が相隣する少なくとも一方の発光管の一端縁の電極と導電線で接続され、前記シャーシの支持部材取付面に対する前記壁部の高さは、前記発光管の高さより高いことを特徴とする。
【００１８】
本発明にあっては、発光管の両端縁に電極が設けられ、一端縁の電極が相隣する少なくとも一方の発光管の一端縁の電極と導電線で接続されている場合、シャーシの支持部材の取付面に対する壁部の高さを、発光管の高さより高くする。これにより、壁部が導電線を跨いで外側に引き回されることを防止することができる。つまり、導電線が被覆部材によって線噛みされることはない。したがって、シャーシにリークが生じることがなくなり、リーク不良を削減することが可能である。
【００１９】
本発明に係る光源装置は、前記発光管の両端縁に電極が設けられ、相隣する２本の発光管が擬似Ｕ字管として機能するように、一端縁の電極が相隣する一方の発光管の一端縁の電極と導電線で接続され、前記支持部材は、相隣する擬似Ｕ字管の間の位置に前記発光管の長手方向に沿う壁部を有することを特徴とする。
【００２０】
本発明にあっては、発光管の両端縁に電極が設けられ、一端縁の電極が相隣する一方の発光管の一端縁の電極と導電線で接続され、接続された２本の発光管が擬似Ｕ字管として機能する場合、支持部材に、相隣する擬似Ｕ字管間に発光管の長手方向に沿う壁部を設ける。これにより、相隣する擬似Ｕ字管の間隙は、この壁部によって隔絶されるので、相隣する擬似Ｕ字管間でリークが生じることはない。
【００２１】
本発明に係る表示装置は、上述のいずれか１つの光源装置を表示パネルの背面側に配置したことを特徴とする。
【００２２】
本発明にあっては、上述したような光源装置を表示パネルの背面側に配置することで、低価格な表示装置を消費者に提供することができる。
【発明の効果】
【００２３】
本発明によれば、略平行に配列された複数本の発光管の端部を支持する支持部材の発光管端縁より外側の位置に発光管の配列方向に沿う壁部を設け、この壁部が被覆部材に設けた係合部に係合するように、発光管側から支持部材を覆うように被覆部材をシャーシに取り付ける構成としたので、極めて簡単、確実かつ精度良く、被覆部材の支持部材に対する位置を規制した上で、被覆部材をシャーシに取り付けることができる。つまり、組立作業者は、支持部材に設けた壁部と被覆部材に設けた係合部とを視認することはできないが、被覆部材を配置する位置が一点ではなくなる。つまりアライメントマージンが広がる。したがって、壁部と係合部とを係合するまでの時間を大幅に短縮することができ、生産性が向上する。
【００２４】
本発明によれば、係合部が、発光管の配列方向に沿って配列された複数の板状部材を備え、それぞれの板状部材に欠落部を設け、壁部が各欠落部の側壁に接触した場合に、壁部を欠落部中心に誘導するための傾斜を欠落部に設ける構成としたので、被覆部材を取り付ける際に、被覆部材の位置がずれた場合であっても、欠落部に設けた傾斜に沿って自動的に被覆部材がスライドして、壁部と欠落部とを確実に係合することができる。
【００２５】
本発明によれば、係合部が、発光管の配列方向に沿う溝構造をなし、壁部が溝の側壁に接触した場合に、壁部を溝中心に誘導するための傾斜を溝に設ける構成としたので、被覆部材を取り付ける際に、被覆部材の位置がずれた場合であっても、溝に設けた傾斜に沿って自動的に被覆部材がスライドして、壁部と溝とを確実に係合することができる。また、被覆部材が接する領域が広くなり、スライド時の摩擦抵抗を低減させることができる。
【００２６】
本発明によれば、発光管の両端縁に電極が設けられ、一端縁の電極が相隣する少なくとも一方の発光管の一端縁の電極と導電線で接続されている場合、シャーシの支持部材の取付面に対する壁部の高さを、発光管の高さより高くする構成としたので、壁部が導電線を跨いで外側に引き回されることを防止することができる。つまり、導電線が被覆部材によって線噛みされることはない。したがって、シャーシにリークが生じることがなくなり、リーク不良を削減することが可能である。
【００２７】
本発明によれば、発光管の両端縁に電極が設けられ、一端縁の電極が相隣する一方の発光管の一端縁の電極と導電線で接続され、接続された２本の発光管が擬似Ｕ字管として機能する場合、相隣する擬似Ｕ字管間に発光管の長手方向に沿う壁部を支持部材に設ける構成としたので、相隣する擬似Ｕ字管の間隙が、この壁部によって隔絶されることになり、相隣する擬似Ｕ字管間のリークの発生を防止することができる等、優れた効果を奏する。
【発明を実施するための最良の形態】
【００２８】
以下、本発明をその実施の形態を示す図面に基づいて詳述する。
【００２９】
図１は本発明に係る表示装置の全体構成を示す斜視図である。
本発明に係る表示装置は、表示パネルとしての液晶パネル（５）の背面に本発明の光源装置としてのバックライト装置（６）が配置された表示モジュール１が前面キャビネット２及び背面キャビネット３によって形成された空間内に配置されている。
【００３０】
表示モジュール１は、表示モジュール１の外寸と適合する寸法を有する図示しない支持枠に固定されている。支持枠には、支持枠の上下に対向する２辺間を連結するように、上下方向に伸びる２本の支柱が固定され、支柱にスタンド４が取り付けられている。
【００３１】
図２は表示モジュールの構成を示す分解斜視図である。
表示モジュール１は、液晶パネル５を、背面側からバックライト装置６、正面側から枠体７で挟持された構造を有する。より具体的には、枠体７は横長矩形状の形状をなし、枠体７の辺縁には貫通孔７ａが設けられ、貫通孔に対応するバックライト装置６の位置には、螺子孔６ａが設けられており、貫通孔７ａを介して螺子８を螺子孔６ａに螺嵌することによって、液晶パネル５をバックライト装置６及び枠体７で挟持する。
【００３２】
液晶パネル５には一対のガラス板などの透明板が対向配置され、その間隙内に液晶物質が封入された液晶層が形成されている。一方の透明板にはマトリックス状に配置されたＩＴＯ、ＮＥＳＡなどの透明性の画素電極と、画素電極への電荷の供給を制御するためのＴＦＴとが形成されており、他方の透明板にはコモン電極と呼ばれる透明性の共通電極が形成されている。
【００３３】
ＴＦＴのゲート及びソースは、それぞれゲートドライバ及びソースドライバの各出力段に接続されており、液晶パネル５は、ゲートドライバから入力されたゲート信号によって各画素のオン／オフが制御され、ソースドライバから入力されたデータ信号をオン期間に各画素へ印加することによって、液晶物質の電気光学特性によって決定される光透過率を制御する。
【００３４】
バックライト装置６（詳細は後述する）は、直管部分が略平行に配列された複数本の発光管５０，５０，…を備えており、発光管として、寿命が長く自然光に近い白色光が発光され、発生する熱が小さいＣＣＦＬが用いられる。
【００３５】
図３は本発明に係る光源装置としてのバックライト装置の平面図、図４は本発明に係る光源装置としてのバックライト装置の要部を示す分解斜視図、図５は本発明に係る光源装置としてのバックライト装置の要部を示す断面図である。
本発明に係る光源装置としてのバックライト装置６は、前面が開口された直方体状の箱体（バックライトシャーシ）１０の内側の対向する端縁に、一対のランプクリップ２０，２０が配置されている。
【００３６】
ランプクリップ２０の裏面には係合部２１が設けられ、係合部２１がバックライトシャーシ１０に設けた貫通孔に係合することでバックライトシャーシ１０に固定される。なお、バックライトシャーシ１０の内壁にアルミニウムなどの光反射性に優れた反射シートを配置することにより、発光管５０からバックライトシャーシ側に発光された光を反射して光取出効率を高めるようにしてもよい。
【００３７】
ランプクリップ２０の表面には把持部２２が設けられており、この把持部２２で発光管５０の端部を把持する。発光管５０の両端には電極が設けられており、一方の電極は相隣する少なくとも一方の発光管の電極と導電線５１を介して接続されている。
【００３８】
また、ランプクリップ２０には、発光管５０の端縁より外側の位置に、発光管５０の配列方向に沿う壁部２３が形成されている。本例では、相隣する２本の発光管が導電線５１で接続され、あたかも２本の発光管がＵ字管のような構成となる擬似Ｕ字管に適用した場合について説明する。
【００３９】
ランプホルダ３０は、図６に示すように、乳白色のシート材の反射面を外側にし、発光管５０の端部を上方より覆う部分３０ａと、装着された状態で発光管５０に嵌合する形状の切抜き部分３０ｂとを有している。もちろん、ランプホルダ３０によってランプクリップ２０が覆われる。このように、発光管５０の端部及びランプクリップ２０が隠蔽され、発光管寿命末期における両端部分の黒化現象による輝度ムラ、及びランプクリップ２０の形状による輝度ムラを低減する。
【００４０】
また、本実施の形態のランプホルダ３０は、発光管５０，５０，…の配列方向に沿って配列された複数の板状部材３１，３１，…を備え、各板状部材３１には、ランプクリップ２０の壁部２３に係合する欠落部３１ａが形成されている。欠落部３１ａを壁部２３に係合することによって、ランプホルダ３０の位置を規制した後に、ネジ８０を用いてランプホルダ３０をバックライトシャーシ１０に固定する。壁部２３が欠落部３１ａに完全に係合された場合、ランプホルダ３０が図５の左右方向Ｘにガタつくことはない。
【００４１】
また、欠落部３１ａの両側の側壁３１ｂ，３１ｂには傾斜が設けられており、壁部２３が欠落部３１ａの側壁３１ｂに接触した場合に、壁部２３を欠落部中心に誘導する。つまり、欠落部３１ａは、開口側が発光管の長手方向に広がった形状をしており、図７に示すように、ランプホルダ３０を取り付ける際に、ランプホルダ３０とランプクリップ２０との位置が設計中心からずれた場合であっても、側壁３１ｂを含む欠落部３１ａの領域Ｒが壁部２３の上方にありさえすれば、側壁３１ｂに沿って自動的にランプホルダ３０がスライドして、壁部２３が欠落部３１ａに係合される。つまり、側壁３１ｂがランプホルダ３０のスライド時のガイド役として機能する。
【００４２】
したがって、極めて簡単、確実かつ精度良く、ランプホルダ３０のランプクリップ２０に対する位置を規制した上で、ランプホルダ３０をバックライトシャーシ１０に取り付けることができる。
【００４３】
組立作業者は、ランプホルダ３０を取り付ける際、ランプホルダ３０より下方に位置するランプクリップ２０の壁部２３及びランプホルダ３０の板状部材３１、すなわち欠落部３１ａを視認することはできないが、従来のように、ランプホルダを配置する位置が一点ではなく、領域Ｒの上方に配置すればよい。つまり、本発明によればアライメントにおける組立マージンが広がる。したがって、壁部１２と欠落部３１ａとを係合するまでの時間を大幅に短縮することができ、生産性が向上する。
【００４４】
また、図５に示すように、ランプクリップ取付面に対する壁部２３の高さｈ１を発光管５０の高さｈ２より高くすることで、壁部２３が導電線５１を跨いで外側に引き回されることを防止することができる。この場合、導電線５１がランプホルダ３０によって線噛みされることはない。したがって、バックライトシャーシ１０にリークが生じることがなくなり、リーク不良を削減することが可能である。つまり、本発明は、擬似Ｕ字管や単一トランス点灯方式の発光管に特に好適である。
【００４５】
なお、実施の形態では、ランプクリップ２０の壁部２３に係合する係合部として、発光管５０，５０，…の配列方向に沿って配列された欠落部３１ａを有する複数の板状部材３１，３１，…をランプホルダに設けた形態について説明したが、図８に示すように、発光管５０，５０，…の配列方向に沿う溝４１をランプホルダ４０に設けた形態であってもよい。
【００４６】
この場合も、溝４１の側壁４１ａに傾斜を設けることにより、壁部２３が溝４１の側壁４１ａに接触した場合に、壁部２３を溝中心に誘導することができる。つまり、ランプホルダ４０を取り付ける際に、ランプホルダ４０とランプクリップ２０との位置が設計中心からずれた場合であっても、側壁４１ａを含む溝４１の領域Ｒが壁部２３の上方にあれさえすれば、溝４１の側壁４１ａに沿って自動的にランプホルダ４０がスライドして、壁部２３が溝４１に係合される。つまり、側壁４１ａがランプホルダ４０のスライド時のガイド役として機能する。
【００４７】
また、実施の形態では、欠落部３１ａの両側の側壁３１ｂに傾斜を設けた形態について説明したが、一方の側壁のみに傾斜を設けた形態であってもよい。例えば、図９に示すように、外側方向の側壁３１ｂ１のみに傾斜を設けた形態（図９（ａ））、又は内側方向の側壁３１ｂ２のみに傾斜を設けた形態（図９（ｂ））であってもよい。
【００４８】
前者の場合（図９（ａ））、ランプホルダ３０を取り付ける際に、ランプホルダ３０とランプクリップ２０との位置がずれた場合であっても、側壁３１ｂ１を含む欠落部３１ａの領域Ｒ１が壁部２３の上方位置に配置さえすれば、側壁３１ｂ１の傾斜に沿って自動的にランプホルダ３０がスライドして、壁部２３が欠落部３１ａに係合される。
【００４９】
一方、後者の場合（図９（ｂ））、ランプホルダ３０を取り付ける際に、ランプホルダ３０とランプクリップ２０との位置がずれた場合であっても、側壁３１ｂ２を含む欠落部３１ａの領域Ｒ２が壁部２３の上方位置に配置さえすれば、側壁３１ｂ２の傾斜に沿って自動的にランプホルダ３０がスライドして、壁部２３が欠落部３１ａに係合される。
【００５０】
さらに、実施の形態では、擬似Ｕ字管に適用した形態について説明したが、例えば、図１０に示すように、直管部分が略平行に配列された複数本の発光管５０，５０，…の一方の電極を相隣する２つの発光管の各電極と導電線５１を介して接続された単一トランス点灯方式の発光管に適用しても、同様の作用及び効果が生じることはいうまでもない。もちろん、各発光管を個別に点灯させる形態においても、ランプホルダのランプクリップに対する位置を規制した上で、ランプホルダをバックライトシャーシに取り付けることができるという作用及び効果が生じる。
【００５１】
さらにまた、図１１に示すように、擬似Ｕ字管に適用する場合、相隣する擬似Ｕ字管５５，５５間に発光管５０の長手方向に沿う側壁部２４をランプクリップ２０に設けるようにしてもよい。この場合、相隣する擬似Ｕ字管５５，５５の間隙は、側壁部２４によって隔絶されるので、擬似Ｕ字管５５，５５の間でのリークの発生を防止することができる。
【００５２】
さらに、実施の形態では、本発明の表示装置として、バックライト装置を液晶パネルの背面側に配置した液晶表示装置を一例として説明したが、光源を必要とする表示パネル一般に対して適用可能であることはもちろんである。
【図面の簡単な説明】
【００５３】
【図１】本発明に係る表示装置の全体構成を示す斜視図である。
【図２】表示モジュールの構成を示す分解斜視図である。
【図３】本発明に係る光源装置としてのバックライト装置の平面図である。
【図４】本発明に係る光源装置としてのバックライト装置の要部を示す分解斜視図である。
【図５】本発明に係る光源装置としてのバックライト装置の要部を示す断面図である。
【図６】ランプホルダの構成を示す斜視図である。
【図７】ランプホルダを取り付けるときの状態を示す図である。
【図８】ランプホルダの別形態の構成を示す斜視図である。
【図９】本発明に係る光源装置としてのバックライト装置の別形態の要部を示す断面図ある。
【図１０】単一トランス点灯方式の発光管に適用した場合の平面図である。
【図１１】擬似Ｕ字管に適用した場合の平面図である。
【図１２】従来のバックライト装置の要部を示す分解斜視図ある。
【図１３】従来のバックライト装置の組立工程の様子を示す斜視図である。
【符号の説明】
【００５４】
１  表示モジュール
５  液晶パネル
６  バックライト装置
１０  バックライトシャーシ
２０  ランプクリップ
２１  係止部
２２  把持部
２３  壁部
２４  側壁部
３０，４０  ランプホルダ
３１  板状部材
３１ａ  欠落部
３１ｂ（３１ｂ１，３１ｂ２）、４１ａ  傾斜
４１  溝
５０  発光管
５１  導電線
５５  擬似Ｕ字管
【図１】
2007214043.tif 000003
【図２】
2007214043.tif 000004
【図３】
2007214043.tif 000005
【図４】
2007214043.tif 000006
【図５】
2007214043.tif 000007
【図６】
2007214043.tif 000008
【図７】
2007214043.tif 000009
【図８】
2007214043.tif 000010
【図９】
2007214043.tif 000011
【図１０】
2007214043.tif 000012
【図１１】
2007214043.tif 000013
【図１２】
2007214043.tif 000014
【図１３】
2007214043.tif 000015